(57)【要約】【課題】  的確、かつ迅速に所望の機能を設定することができる画像処理装置を提供する。【解決手段】  画像取得手段１、取得した画像を表示する画像表示手段２、取得した画像に対して行う処理内容を自然言語で入力する自然言語入力手段４、入力された自然言語からキーワードを抽出するキーワード抽出手段５、キーワード抽出手段５によって得られたキーワードに対応する処理を組み合わせて選定する処理選定手段６、選定された処理を実行する処理手段７、８、処理した結果画像をプレビュー表示する処理結果表示手段１０、処理した結果画像を出力する処理結果出力手段１１を備えた画像処理装置。【選択図】        図１
2007067722.tif 000002
【特許請求の範囲】
【請求項１】
画像取得手段と、取得した画像を表示する画像表示手段と、取得した画像に対して行う処理内容を自然言語で入力する自然言語入力手段と、入力された自然言語からキーワードを抽出するキーワード抽出手段と、キーワード抽出手段によって得られたキーワードに対応する処理を組み合わせて選定する処理選定手段と、選定された処理を実行する処理手段と、処理した結果画像をプレビュー表示する処理結果表示手段と、処理した結果画像を出力する処理結果出力手段と、を備えたことを特徴とする画像処理装置。
【請求項２】
取得した画像を表示する画像表示ステップと、取得した画像に対して行う処理内容が自然言語で入力される自然言語入力ステップと、入力された自然言語からキーワードを抽出するキーワード抽出ステップと、得られたキーワードに対応する処理を組み合わせて選定する処理選定ステップと、選定された処理を実行する処理ステップと、処理した結果画像をプレビュー表示する処理結果表示ステップと、処理した結果画像を出力する処理結果出力ステップを有することを特徴とする画像処理方法。
【請求項３】
請求項２に記載の画像処理方法をコンピュータに実現させるためのプログラム。
【請求項４】
請求項３に記載のプログラムを記録したコンピュータ読み取り可能な記録媒体。
【発明の詳細な説明】
【技術分野】
【０００１】
本発明は、画像処理装置及び画像処理方法に関するものである。
【背景技術】
【０００２】
例えば、特許文献１などをはじめとする従来の複合機（複写機能、プリンタ機能、ファクシミリ機能を併せ持つ画像処理装置）では、多数の機能ボタンが固定位置にあらかじめ用意してある。そのため、特定の機能（画像処理）を多用するユーザが普段とは別の機能を使用する際、機能に対応するボタンの確認に時間が掛かり、また押し間違えることがあった。また、特許文献２にはその改良技術が提案されている。
【特許文献１】特許第３４６１９２２号
【特許文献２】特開平０８−１３７８８２号公報
【発明の開示】
【発明が解決しようとする課題】
【０００３】
しかし従来は、設定した機能による印刷結果は、プリントアウトによってしか確認ができず、その結果ミスプリントを多発するおそれがある。
本発明は、的確、かつ迅速に所望の機能を設定することができる画像処理装置及び画像処理方法を提供することを目的とする。
【課題を解決するための手段】
【０００４】
上記目的を達成するために、請求項１記載の発明は、画像取得手段と、取得した画像を表示する画像表示手段と、取得した画像に対して行う処理内容を自然言語で入力する自然言語入力手段と、入力された自然言語からキーワードを抽出するキーワード抽出手段と、キーワード抽出手段によって得られたキーワードに対応する処理を組み合わせて選定する処理選定手段と、選定された処理を実行する処理手段と、処理した結果画像をプレビュー表示する処理結果表示手段と、処理した結果画像を出力する処理結果出力手段と、を備えたことを特徴とする。
請求項２記載の発明は、取得した画像を表示する画像表示ステップと、取得した画像に対して行う処理内容が自然言語で入力される自然言語入力ステップと、入力された自然言語からキーワードを抽出するキーワード抽出ステップと、得られたキーワードに対応する処理を組み合わせて選定する処理選定ステップと、選定された処理を実行する処理ステップと、処理した結果画像をプレビュー表示する処理結果表示ステップと、処理した結果画像を出力する処理結果出力ステップを有することを特徴とする。
請求項３記載の発明は、請求項２に記載の画像処理方法をコンピュータに実現させるためのプログラムを特徴とする。
請求項４記載の発明は、請求項３に記載のプログラムを記録したコンピュータ読み取り可能な記録媒体を特徴とする。
【発明の効果】
【０００５】
本発明によれば、画像取得手段、取得した画像を表示する画像表示手段、取得した画像に対して行う処理内容を自然言語で入力する自然言語入力手段、入力された自然言語からキーワードを抽出するキーワード抽出手段、キーワード抽出手段によって得られたキーワードに対応する処理を組み合わせて選定する処理選定手段、選定された処理を実行する処理手段、処理した結果画像をプレビュー表示する処理結果表示手段、処理した結果画像を出力する処理結果出力手段を備えたことで、的確、かつ迅速に所望の機能を設定することができる。
【発明を実施するための最良の形態】
【０００６】
以下、図面を参照して、本発明の実施形態を詳細に説明する。
本発明は、スキャン、ファイルなどから取得した画像をディスプレイに表示して、ユーザが処理したい内容を自然言語で入力し、その文書から処理に関係のあるキーワードを抜き出して、そのキーワードに対応した処理を行う。また、ディスプレイ上で結果画像を確認した後にその結果画像を出力する。
図１は本発明の画像処理装置の機能ブロック図、図２は図１に示す画像処理装置の簡略動作フロー図、図３は図１に示す画像処理装置の画像表示手段の表示例を示す図である。
本画像処理装置は、画像入力手段１、画像表示手段２、手動入力手段３、自然言語入力手段４、キーワード抽出手段５、処理選定手段６、複写機処理手段７、画像処理手段８、結果画像９を表示する処理結果表示手段１０、結果画像９を出力する処理結果出力手段１１を備える。
図２のＳ１０１〜Ｓ１０６も参照しながら動作を説明する。
（１）イメージスキャナ、ファイルロードなどの画像入力手段１を用いて、文書画像を取得する（ステップ１、Ｓ１０１）。
（２）ステップ１によって取得した画像データを画像表示手段２で表示する（ステップ２、Ｓ１０２）。
（３）手動入力手段３において、ユーザが地肌消去・文字高解像度化などの画像処理、拡大縮小・両面印刷・ステープルなどの複写機処理に関する各種機能ボタンを押して指示を行う（ステップ３、Ｓ１０３）。この機能は、従来の複写機に備わっている機能とほぼ同じである。
（４）自然言語入力手段４において、ユーザがたとえば、図「裏写りをなくし、半分ぐらいの大きさに縮小して、製本したい」という内容を自然言語で入力する（ステップ４、Ｓ１０３）。図３はその入力結果を表示している。
（５）ステップ４で入力されたオーダー文書を解析して、処理に必要なキーワードを抽出して変換する。この自然言語処理技術には、特許第２８０４２９７号をはじめとする一般的な自然言語処理技術を用いる（ステップ５、Ｓ１０４）。ステップ４の例では、抽出したときの結果キーワードは「裏写り除去」、「縮小Ａ４→Ａ５」、「集約（製本）」になる。
（６）ステップ５によって抽出した、１つ以上のキーワードから、処理選定手段６において、画像処理や複写機処理の手順を組み合わせ、また特定の組み合わせでは処理できないものはエラーとしてはじくようにする。例えば、ステープル（左２カ所）とパンチ（左２カ所）の同時実行はできないようにする（ステップ６）。ステップ４の例では、「裏写り除去」→「縮小Ａ４→Ａ５」→「ページ順を製本形式にする」→「両面印刷」となる。
（７）ステップ３、ステップ６にて設定した任意の処理について、複写機処理手段７と画像処理手段８どちらかまたは両方の処理を行う（ステップ７、Ｓ１０５）。
（８）ステップ７によって得られた結果画像９を、処理結果表示手段１０または処理結果出力手段１１によって表示・出力する（ステップ８、Ｓ１０６）。
以上の処理で、画像処理結果の画像を表示することによって、処理内容・処理結果を確認しながら、かつ簡単に機能設定が行えるようになる。
【実施例１】
【０００７】
図４は実施例１に係る画像処理装置の構成図である。本実施例は複合機を示している。複写機処理部２１、画像処理部２２、ＣＰＵ２３、内部メモリ２４、ハードディスク２５、ＣＤ−ＲＯＭ／ＤＶＤ−ＲＯＭ２６、ネットワーク網２８に接続される通信制御部２７、スキャナ部２９、プリンタ部３０、ファクシミリ部３１、処理選定部３２、操作制御部３３、ディスプレイ３４、操作パネル３５、外部メモリ３６から構成されている。
複写機処理部２１においては、拡大縮小・ステープル・パンチ・製本・両面印刷などの処理を行う。画像処理部２２においては、裏写り除去、文字認識処理、画像高画質化処理など各種画像処理を行う。
本実施例において、ユーザがコピーをする場合、設定するためのインターフェースとして操作パネル３５がある。操作パネル３５には、ディスプレイ３４を組み合わせたものすなわち、タッチパネルを備えることも可能である。スキャナ部２９において読み取られた原稿は、ＣＰＵ２３を介して内部メモリ２４、外部メモリ３６に一時蓄積される。
また、ユーザが設定した内容を処理選定部３２で選定して決定した機能を複写機処理部２１、画像処理部２２にて処理する。処理結果画像をディスプレイ３４に表示し、必要に応じてプリンタ部３０、ファクシミリ部３１にて出力する。また、通信制御部２７を介して、ネットワーク網２８に接続する。
【実施例２】
【０００８】
図５は実施例２に係る画像処理装置の構成図である。本実施例は複合機を示している。複写機処理部２１、画像処理部２２、ＣＰＵ２３、内部メモリ２４、ハードディスク２５、ＣＤ−ＲＯＭ／ＤＶＤ−ＲＯＭ２６、ネットワーク網２８に接続される通信制御部２７、スキャナ部２９、プリンタ部３０、ファクシミリ部３１、処理選定部３２、操作制御部３３、ディスプレイ３４、操作パネル３５、外部メモリ３６、パソコン部から構成されている。
複写機処理部２１においては、拡大縮小・ステープル・パンチ・製本・両面印刷などの処理を行う。画像処理部２２においては、裏写り除去、文字認識処理、画像高画質化処理など各種画像処理を行う。
本実施例において、ユーザがコピーをする場合、設定するためのインターフェースとして操作パネル３５がある。操作パネル３５には、ディスプレイ３４を組み合わせたものすなわち、タッチパネルを備えることも可能である。スキャナ部２９において読み取られた原稿は、ＣＰＵ２３を介して内部メモリ２４、外部メモリ３６に一時蓄積される。
また、ユーザが設定した内容を処理選定部３２で選定して決定した機能を複写機処理部２１、画像処理部２２にて処理する。処理結果画像をディスプレイ３４に表示し、必要に応じてプリンタ部３０、ファクシミリ部３１にて出力する。また、通信制御部２７を介して、ネットワーク網２８に接続する。
また、パソコン部３７を搭載して、パソコン部３７内のソフトウェア機能を複合機と連携させることによって、各種サービスを提供することができる。
【図面の簡単な説明】
【０００９】
【図１】本発明の画像処理装置の機能ブロック図。
【図２】図１に示す画像処理装置の簡略動作フロー図。
【図３】図１に示す画像処理装置の画像表示手段の表示例を示す図。
【図４】実施例１に係る画像処理装置の構成図。
【図５】実施例２に係る画像処理装置の構成図。
【符号の説明】
【００１０】
１  画像入力手段（画像取得手段）
２  画像表示手段
３  手動入力手段
４  自然言語入力手段
５  キーワード抽出手段
６  処理選定手段
７  複写機処理手段
８  画像処理手段
１０  処理結果表示手段
１１  処理結果出力手段
【図１】
2007067722.tif 000003
【図２】
2007067722.tif 000004
【図３】
2007067722.tif 000005
【図４】
2007067722.tif 000006
【図５】
2007067722.tif 000007